(57)【特許請求の範囲】
【請求項１】
一端が支持体に支持される回転軸の外周面を摺動して回転する回転体が前記回転軸から脱落することを抑制する固定装置であって、
雄ねじ、及び、雌ねじ、のいずれか一方を有する取付部であって、前記支持体に備えられ、雌ねじ、及び、雄ねじのいずれか一方を有する被取付部に対して締結された状態において、前記回転体の脱落を抑制する取付部と、
前記回転軸の外側に嵌められる外嵌部であって、前記回転軸が挿入可能な開口が形成された少なくとも１つの外嵌部と、
前記取付部と、前記少なくとも１つの外嵌部と、を所定の位置関係に保つ保持部と、を備え、
前記所定の位置関係とは、前記取付部を前記被取付部に締結させるときに、前記少なくとも１つの外嵌部における前記開口に前記回転軸が挿入可能な位置関係であって、（ｉ）前記回転軸を基準とした前記外嵌部の回転位置に関わらず、前記開口に前記回転軸が挿入可能な位置関係、及び、（ｉｉ）前記外嵌部が前記回転軸に対して所定の回転位置であるときに、前記開口に前記回転軸が挿入可能な位置関係、のうちの少なくともいずれか一方である、固定装置。
【請求項２】
請求項１に記載の固定装置であって、
前記保持部は、前記取付部及び前記少なくとも１つの外嵌部の周囲を囲う形状であって、少なくとも、前記取付部を操作するための第１の開口と、前記取付部と前記被取付部とを締結するための雄ねじが通過するための第２の開口と、が形成されている、固定装置。
【請求項３】
請求項２に記載の固定装置であって、
前記保持部は、前記１つ以上の外嵌部と前記回転体との間に位置し、前記回転体と接触する接触面を有している、固定装置。
【請求項４】
請求項１から請求項３のいずれか１項に記載の固定装置であって、
前記回転軸は、貫通孔が形成された筒状の部材であって、
前記被取付部は前記支持体に形成される雌ねじであって、
前記取付部は、前記雌ねじに対して締結可能に構成された雄ねじを有しており、該雄ねじが前記回転軸の前記貫通孔を通過して前記雌ねじに締結される、固定装置。
【請求項５】
請求項１から請求項４のいずれか１項に記載の固定装置であって、
前記回転軸及び前記少なくとも１つの外嵌部は、該少なくとも１つの外嵌部が前記回転軸の外側に嵌められた状態において、前記回転軸の中心軸を中心とした相対的な回転変位が抑制されるように構成されている、固定装置。
【請求項６】
請求項１から請求項５のいずれか１項に記載の固定装置であって、
前記少なくとも１つの外嵌部は、前記取付部が前記被取付部に締結された状態において、前記回転体を前記支持体の方向に押圧するバネ部材を含む、固定装置。
【請求項７】
支持体と、
一端が前記支持体に支持される回転軸と、
前記回転軸の外周面を摺動して回転する回転体と、
前記回転体が前記回転軸から脱落することを抑制する固定装置と、を備える回転体支持機構であって、
前記固定装置は、
雄ねじ、及び、雌ねじ、のいずれか一方を有する取付部であって、前記支持体に備えられ、雌ねじ、及び、雄ねじのいずれか一方を有する被取付部に対して締結された状態において、前記回転体の脱落を抑制する取付部と、
前記回転軸の外側に嵌められる外嵌部であって、前記回転軸が挿入可能な開口が形成された少なくとも１つの外嵌部と、
前記取付部と、前記少なくとも１つの外嵌部と、を所定の位置関係に保つ保持部と、を備え、
前記所定の位置関係とは、前記取付部を前記被取付部に締結させるときに、前記少なくとも１つの外嵌部における前記開口に前記回転軸が挿入可能な位置関係であって、（ｉ）前記回転軸を基準とした前記外嵌部の回転位置に関わらず、前記開口に前記回転軸が挿入可能な位置関係、及び、（ｉｉ）前記外嵌部が前記回転軸に対して所定の回転位置であるときに、前記開口に前記回転軸が挿入可能な位置関係、のうちの少なくともいずれか一方である、回転体支持機構。
【請求項８】
少なくとも座体を支持する支持体と、
一端が前記支持体に支持される回転軸と、
前記回転軸の外周面を摺動して回転する前記座体と、
前記座体が前記回転軸から脱落することを抑制する固定装置と、を備える椅子であって、
前記固定装置は、
雄ねじ、及び、雌ねじ、のいずれか一方を有する取付部であって、前記支持体に備えられ、雌ねじ、及び、雄ねじのいずれか一方を有する被取付部に対して締結された状態において、前記座体の脱落を抑制する取付部と、
前記回転軸の外側に嵌められる外嵌部であって、前記回転軸が挿入可能な開口が形成された少なくとも１つの外嵌部と、
前記取付部と、前記少なくとも１つの外嵌部と、を所定の位置関係に保つ保持部と、を備え、
前記所定の位置関係とは、前記取付部を前記被取付部に締結させるときに、前記少なくとも１つの外嵌部における前記開口に前記回転軸が挿入可能な位置関係であって、（ｉ）前記回転軸を基準とした前記外嵌部の回転位置に関わらず、前記開口に前記回転軸が挿入可能な位置関係、及び、（ｉｉ）前記外嵌部が前記回転軸に対して所定の回転位置であるときに、前記開口に前記回転軸が挿入可能な位置関係、のうちの少なくともいずれか一方である、椅子。
【発明の詳細な説明】
【技術分野】
【０００１】
本発明は、所定の回転軸を中心に回転する回転体を支持する機構に関する。
【背景技術】
【０００２】
着座面を有する座体と背もたれとを有する椅子として、不使用時には座体を背もたれ側に立てた状態とすることが可能に構成された椅子がある。このような椅子において、座体は、座体を支持する脚部に設けられた回転軸により回転可能に支持されている。
【０００３】
従来、引用文献１のように、回転軸の周りに平座金やばね座金を用いる構成も採用されている。
【先行技術文献】
【特許文献】
【０００４】
【特許文献１】特開２０１４−９７１７８号公報
【発明の概要】
【発明が解決しようとする課題】
【０００５】
平座金やばね座金など、ボルトなどによる固定を行うときに同時に固定される部品の組み付けを簡便なものとすることが従来から望まれている。
本開示は、組み付けを容易なものとすることができる技術を提供する。
【課題を解決するための手段】
【０００６】
本開示の第１の態様は、一端が支持体に支持される回転軸の外周面を摺動して回転する回転体が前記回転軸から脱落することを抑制する固定装置であって、雄ねじ、及び、雌ねじ、のいずれか一方を有する取付部であって、前記支持体に備えられ、雌ねじ、及び、雄ねじのいずれか一方を有する被取付部に対して締結された状態において、前記回転体の脱落を抑制する取付部と、前記回転軸の外側に嵌められる少なくとも１つの外嵌部と、前記取付部と、前記少なくとも１つの外嵌部と、を所定の位置関係に保つ保持部と、を備え、前記所定の位置関係とは、前記取付部の有する前記雄ねじ及び前記雌ねじのいずれか一方の軸と、前記被取付部の有する前記雌ねじ及び前記雄ねじのいずれか一方の軸と、が同一直線上に位置する場合において、前記直線と直交する平面に前記回転軸及び前記少なくとも１つの外嵌部を投影したときに、（ｉ）前記少なくとも１つの外嵌部における前記回転軸が挿入される開口に前記回転軸が収まる位置関係、及び、（ｉｉ）前記直線を中心に前記少なくとも１つの外嵌部を回転させたときに、前記開口に前記回転軸が収まる状態となり得る位置関係、のうちの少なくともいずれか一方である、固定装置である。
【０００７】
このような構成であれば、取付部を被取付部に取り付ける場合に、保持部に保持される外嵌部が回転軸の外側に嵌め易い位置となる。よって、外嵌部を回転軸の外側に嵌めた状態で取付部を被取付部に取り付ける作業を容易なものとすることができる。
【０００８】
なお、上述した（ｉ）、（ｉｉ）に記載される「開口に回転軸が収まる」とは、厳密な意味で微小なずれをも許容しないという意味ではなく、取り付け作業が容易になるという効果を奏する範囲において、微小なずれがあってもよい。例えば、固定装置を取り付ける者が、取り付け作業を行うときに、上記（ｉｉ）の場合における回転操作とは別に、僅かに位置を調整することで、上述したように外嵌部の開口に回転軸が収まるものも含む。
【０００９】
上記固定装置において、前記保持部は、前記取付部及び前記少なくとも１つの外嵌部の周囲を囲う形状であって、少なくとも、前記取付部を操作するための第１の開口と、前記取付部と前記被取付部とを締結するための雄ねじが通過するための第２の開口と、が形成されていてもよい。
【００１０】
このような構成であれば、雄ねじを雌ねじに締結する操作を容易に行うことができる。
上記固定装置において、前記保持部は、前記１つ以上の外嵌部と前記回転体との間に位置し、前記回転体と接触する接触面を有していてもよい。
【００１１】
このような構成であれば、回転体が回転するときに、保持部の接触面と回転体との間に摩擦力を発生させることができる。よって、その摩擦力を接触面の材質により調整することができる。
【００１２】
上記固定装置において、前記回転軸は、貫通孔が形成された筒状の部材であって、前記被取付部は前記支持体に形成される雌ねじであって、前記取付部は、前記雌ねじに対して締結可能に構成された雄ねじを有しており、該雄ねじが前記回転軸の前記貫通孔を通過して前記雌ねじに締結される構成であってもよい。
【００１３】
このような構成であれば、回転軸を支持体に固定しつつ回転体の脱落を抑制することができる。
上記固定装置において、前記回転軸及び前記少なくとも１つの外嵌部は、該少なくとも１つの外嵌部が前記回転軸の外側に嵌められた状態において、前記回転軸の中心軸を中心とした相対的な回転変位が抑制されるように構成されていてもよい。
【００１４】
このような構成であれば、外嵌部が回転軸に対して回転しないため、外嵌部が回転することにより取付部の締結が緩んでしまうことを抑制できる。
上記固定装置において、前記少なくとも１つの外嵌部は、前記取付部が前記被取付部に締結された状態において、前記回転体を前記支持体の方向に押圧するバネ部材を含む構成であってもよい。
【００１５】
このような構成であれば、バネ部材によって、回転体が回転するときの摩擦力を調整することができる。
本開示の第２の態様は、支持体と、一端が前記支持体に支持される回転軸と、前記回転軸の外周面を摺動して回転する回転体と、前記回転体が前記回転軸から脱落することを抑制する固定装置と、を備える回転体支持機構であって、前記固定装置は、雄ねじ、及び、雌ねじ、のいずれか一方を有する取付部であって、前記支持体に備えられ、雌ねじ、及び、雄ねじのいずれか一方を有する被取付部に対して締結された状態において、前記回転体の脱落を抑制する取付部と、前記回転軸の外側に嵌められる少なくとも１つの外嵌部と、前記取付部と、前記少なくとも１つの外嵌部と、を所定の位置関係に保つ保持部と、を備え、前記所定の位置関係とは、前記取付部の有する前記雄ねじ及び前記雌ねじのいずれか一方の軸と、前記被取付部の有する前記雌ねじ及び前記雄ねじのいずれか一方の軸と、が同一直線上に位置する場合において、前記直線と直交する平面に前記回転軸及び前記少なくとも１つの外嵌部を投影したときに、（ｉ）前記少なくとも１つの外嵌部における前記回転軸が挿入される開口に前記回転軸が収まる位置関係、及び、（ｉｉ）前記直線を中心に前記少なくとも１つの外嵌部を回転させたときに、前記開口に前記回転軸が収まる状態となり得る位置関係、のうちの少なくともいずれか一方である、回転体支持機構である。
【００１６】
このような構成であれば、第１の態様の固定装置による効果と同様の効果を奏することができる。
本開示の第３の態様は、少なくとも座体を支持する支持体と、一端が前記支持体に支持される回転軸と、前記回転軸の外周面を摺動して回転する前記座体と、前記座体が前記回転軸から脱落することを抑制する固定装置と、を備える椅子であって、前記固定装置は、雄ねじ、及び、雌ねじ、のいずれか一方を有する取付部であって、前記支持体に備えられ、雌ねじ、及び、雄ねじのいずれか一方を有する被取付部に対して締結された状態において、前記回転体の脱落を抑制する取付部と、前記回転軸の外側に嵌められる少なくとも１つの外嵌部と、前記取付部と、前記少なくとも１つの外嵌部と、を所定の位置関係に保つ保持部と、を備え、前記所定の位置関係とは、前記取付部の有する前記雄ねじ及び前記雌ねじのいずれか一方の軸と、前記被取付部の有する前記雌ねじ及び前記雄ねじのいずれか一方の軸と、が同一直線上に位置する場合において、前記直線と直交する平面に前記回転軸及び前記少なくとも１つの外嵌部を投影したときに、（ｉ）前記少なくとも１つの外嵌部における前記回転軸が挿入される開口に前記回転軸が収まる位置関係、及び、（ｉｉ）前記直線を中心に前記少なくとも１つの外嵌部を回転させたときに、前記開口に前記回転軸が収まる状態となり得る位置関係、のうちの少なくともいずれか一方である、椅子である。
【００１７】
このような構成の椅子では、第１の態様の固定装置による効果と同様の効果を奏することができる。
【図面の簡単な説明】
【００１８】
【図１】図１Ａは使用状態の椅子の前方斜視図、図１Ｂは収納状態の椅子の前方斜視図、図１Ｃは使用状態の椅子の後方斜視図である。
【図２】図２Ａは、座体を除く椅子の、前後及び上下に拡がる平面による断面図、図２Ｂは椅子の右側部分の正面図である。
【図３】図３Ａは右側の座支持部周辺の軸部材と固定装置を取り付ける前の断面図、図３Ｂは座支持部周辺の左側面図である。
【図４】右側の座支持部周辺の軸部材と固定装置を取り付けた後の断面図である。
【図５】図５Ａは軸部材の平面図、図５Ｂは軸部材の正面図、図５Ｃは図５ＡのＶＣ−ＶＣ断面図、図５Ｄは軸部材の側面図である。
【図６】図６Ａは固定装置を分解した状態の側面図、図６Ｂは固定装置を組み付けた状態の断面図である。
【図７】図７Ａは座金の平面図、図７Ｂは座金の側面図、図７Ｃは座金の正面図、図７Ｄはカメ座金の平面図、図７Ｅは図７ＤのＶＩＩＥ−ＶＩＩＥ断面図、図７Ｆは図７ＤのＶＩＩＦ−ＶＩＩＦ断面図である。
【図８】図８Ａは軸ボルトの平面図、図８Ｂは軸ボルトの正面図、図８Ｃは軸ボルトの底面図、図８Ｄは図８ＡのＶＩＩＩＤ−ＶＩＩＩＤ部分断面図である。
【図９】図９Ａは軸カバーの平面図、図９Ｂは軸カバーの正面図、図９Ｃは軸カバーの底面図、図９Ｄは図９ＡのＩＸＤ−ＩＸＤ断面図、図９Ｅは軸キャップの平面図、図９Ｆは軸キャップの正面図、図９Ｇは軸キャップの底面図、図９Ｈは軸キャップの断面図、図９Ｉは軸キャップに座金を挿入した状態の平面図である。
【図１０】図１０Ａは、軸部材と座金との位置関係を説明する図、図１０Ｂは、軸部材とカメ座金との位置関係を説明する図である。
【図１１】固定装置の変形例を説明する図である。
【図１２】軸部材の変形例を説明する図である。
【発明を実施するための形態】
【００１９】
以下に本発明の実施形態を図面と共に説明する。
［１．実施形態］
［１−１．全体構成］
椅子１は、図１に示すように、背もたれ２と、座体３と、左右一対の脚部４と、脚部４を左右方向に連結する支持フレーム５と、を備え、同一の椅子１を前後方向に重ねる収納、いわゆるネスティングが可能なネスティングチェアーである。脚部４は左右対称形である。座体３が、回転体に相当する。
【００２０】
背もたれ２は、板状の部材を、平面視で後方に向けて凸となる円弧状とすることで、全体として着席者の背中に沿うような形状とされたものである。背もたれ２の左右両側の下端には、下方に延びる一対の背側連結片１１が形成されている。
【００２１】
支持フレーム５は、支持フレーム５の左右方向の端部側それぞれの上部から上方に延びて、一対の背側連結片１１と連結する一対の支持側連結片１３を備えている。
一対の背側連結片１１、及び、一対の支持側連結片１３は、座体３の後端側を左右から挟む位置関係で配置され、この座体３を、左右方向に延びる後述する軸部材４０を回転軸として回動可能に固定している。これにより、座体３は、図１Ａ、図１Ｃに示される、着座面が地面に沿った面となるように倒す使用状態と、図１Ｂに示される、着座面を地面と交差する面となるように座体３を跳ね上げる収納状態と、の間で回動可能となる。以下の説明では、背側連結片１１と支持側連結片１３とを合わせて座支持部１５と記載する。
【００２２】
座体３は、平面視で略矩形の板状の部材であって、中央部には着座面となるシート状部材１７が張り掛けられている。また座体３は、使用状態において、全体的に後端部から前端部に向かう若干の上り勾配の傾斜面となっており、その前端部は下方向に垂れ下がる垂下片となっている。
【００２３】
この座体３には、左右一対の座支持部１５に対応する位置それぞれに、座支持部１５に対して座体３を固定するための一対の座側固定片１９が備えられ、ここに軸部材４０を通して固定することにより、座体３全体が背もたれ２や脚部４に対して回転可能となる。
【００２４】
［１−２．座体を回転可能に支持する支持機構］
図２Ａ及び図２Ｂに示されるように、座支持部１５は、支持側連結片１３が背側連結片１１の内部に挿入される形で連結してなるものである。
【００２５】
座体３を回転可能に支持する支持機構は、図３Ａに示されるように、座支持部１５、座側固定片１９、軸部材４０、固定装置５０などを備える。座支持部１５が支持体に相当し、軸部材４０が回転軸に相当する。また、この支持機構が、回転体支持機構に相当する。なお図３Ａにおいては、理解を容易にする目的で固定装置５０は断面図としていない。図４の軸ボルト８０、図６の軸ボルト８０においても同様である。
【００２６】
座側固定片１９には貫通孔３１が形成されている。また、背側連結片１１の内側面にも貫通孔３２が形成されている。支持側連結片１３には、溝３３が形成されており、溝３３の奥には雌ねじ３４が形成されている。雌ねじ３４が、被取付部に相当する。
【００２７】
図４に示されるように、この貫通孔３１、貫通孔３２、溝３３に対して、軸部材４０が挿入される。軸部材４０の一端は、座支持部１５によって支持される。座体３は、軸部材４０を中心として回転するが、その際、貫通孔３１の内側面が軸部材４０の外周面を摺動する。軸部材４０が挿入されることによって、支持側連結片１３が背側連結片１１から抜けることが抑制され、１３と１１とが係脱不能になる。
【００２８】
図３Ｂに示されるように、貫通孔３２は円形の孔であるが、溝３３は壁面の一部が中央側に進出して、その部分の幅が狭くなっている。貫通孔３１は、貫通孔３２とほぼ同軸、同径である。雌ねじ３４は、貫通孔３１、貫通孔３２、溝３３の中心軸と同軸となるように形成されている。
【００２９】
軸部材４０の支持側連結片１３からの脱落と、座側固定片１９の軸部材４０からの脱落と、を防止するように、固定装置５０が取り付けられる。
［１−３．軸部材の構成］
図５Ａ〜図５Ｄに示されるように、軸部材４０は、筒状の部材であって、軸貫通孔４１が形成されている。なお、ここでいう筒状とは、中空状であって、両端に開口が形成されている形状をいう。
【００３０】
軸部材４０は、外周の反対側の２箇所に切り欠き部４２が形成されている。切り欠き部４２は、円筒の壁面の一部を、軸方向に拡がる平面によって切り欠いた形状であって、２つの切り欠き部４２の平面は平行である。
【００３１】
軸部材４０の平面視における外縁の形状は、図５Ａに示されるように、円の両端の２箇所が平行に切り取られた形状となっている。２つの切り欠き部４２の間の距離をＬ１とし、切り欠き部４２が形成されていない部分の軸部材４０の直径をＬ２とすると、Ｌ１＜Ｌ２となる。なお以下の説明において、軸部材４０の外縁形状又は外形とは、上述した平面視の形状を意味する。
【００３２】
上述した溝３３は、この軸部材４０の外縁形状に合わせた溝形状となっている。具体的には、溝３３の狭い部分の幅はＬ１より僅かに大きいが、Ｌ２より小さい。よって、軸部材４０が溝３３に挿入されると、軸部材４０は座支持部１５に対して回転不能となる。
【００３３】
一方、貫通孔３１は、Ｌ２よりも僅かに大きい直径の孔となっている。よって、座体３は軸部材４０に対して回転可能となる。
［１−４．固定装置の構成］
図６Ａ、図６Ｂに示されるように、固定装置５０は、座金６０、カメ座金７０、軸ボルト８０、ケース９０を有する。ケース９０は、軸カバー９１と、軸キャップ９２と、を有する。なお、座金６０及びカメ座金７０が外嵌部に相当し、軸ボルト８０が取付部に相当し、ケース９０が保持部に相当する。またカメ座金７０がバネ部材に相当する。
【００３４】
座金６０は、図７Ａ〜図７Ｃに示されるように、環状の板状の部材である。座金６０の中央には開口６１が形成されている。この座金６０は、例えば金属で形成することができる。この座金６０が、外嵌部の一例である。
【００３５】
開口６１の形状は、図７Ａに示されるように、開口６１の中央に進出する一対の壁面６３によって、円の両端の２箇所が平行に切り取られた形状となっている。一対の壁面６３の間の距離をＬ３、円である部分の直径をＬ４とすると、Ｌ３＜Ｌ４となる。
【００３６】
開口６１は、軸部材４０の外縁形状にあわせた形状となっていて、軸部材４０が挿入可能である。固定装置５０が座支持部１５に取り付けられたときには、座金６０は軸部材４０の外側に嵌められる。また、Ｌ３は上述したＬ１より僅かに大きいが、Ｌ２より小さい。よって、座金６０は軸部材４０の中心軸を中心とした軸部材４０に対する相対的な回転変位が抑制される。
【００３７】
座金６０の外縁は略円形であるが、両端の２箇所に、切り欠き６２が形成されている。
カメ座金７０は、図７Ｄ〜図７Ｆに示されるように、環状の板状の部材である。カメ座金７０の中央には開口７１が形成されている。このカメ座金７０は、例えば金属で形成することができる。このカメ座金７０が、外嵌部の一例である。
【００３８】
開口７１は円形であって、軸部材４０が挿入可能である。固定装置５０が座支持部１５に取り付けられたときには、カメ座金７０は軸部材４０の外側に嵌められる。
カメ座金７０は、図７Ｅ、図７Ｆから明らかなように、平面状ではなく、１つの側面から見て円弧状に折り曲げられた曲面状である。
【００３９】
軸ボルト８０は、図８Ａ〜図８Ｄに示されるように、ネジ頭８１と、軸体８２と、雄ねじ８３と、六角溝８４と、を有する。
ネジ頭８１は、円板状の部材である。軸体８２は、ネジ頭８１から延び出す円柱状の部材である。雄ねじ８３は、軸体８２の延び出した先端側の側面に形成されている。六角溝８４は、ネジ頭８１における軸体８２が延び出す面とは反対側の面に形成されている。
【００４０】
雄ねじ８３は、雌ねじ３４に対して締結可能であって、雄ねじ８３が軸部材４０に形成された軸貫通孔４１を通過して雌ねじ３４に締結されることで、固定装置５０が座支持部１５に固定される。このとき、図４に示されるように、ネジ頭８１が軸部材４０に接触しており、軸部材４０の座支持部１５からの脱落が抑制される。
【００４１】
ケース９０は、図６Ｂに示されるように、座金６０、カメ座金７０、軸ボルト８０を、保持する。このケース９０は、例えば合成樹脂で構成することができる。
軸カバー９１は、図９Ａ〜図９Ｄに示されるように、環状の部材であって、中心に第１開口部９３が形成される円形の板状の円板部９４と、円板部９４の外縁部から、円板部９４と直交するように延び出し、筒体を形成する外周部９５と、を有する。外周部９５の内側には、円周方向に長さを有し、間隔を空けて配置される複数の突起９６が形成されている。第１開口部９３が、第１の開口に相当する。
【００４２】
軸キャップ９２は、図９Ｅ〜図９Ｈに示されるように、環状の部材であって、中心に第２開口部９７が形成される円形の板状の円板部９８と、円板部９８の外縁部から、円板部９８と直交するように延び出し、筒体を形成する外周部９９と、を有する。外周部９９の外側には、円周方向に長さを有する突条である係止部１００が形成されている。第２開口部９７が、第２の開口に相当する。
【００４３】
第２開口部９７は、開口６１と同様の形状であって、軸部材４０が挿入可能であり、かつ、軸部材４０の中心軸を中心として軸キャップ９２が軸部材４０に対して回転できない形状となっている。
【００４４】
また外周部９９の内側には、中央に向けて進出する壁面部１０１が対向する２箇所に形成されている。外周部９９の内部の形状は、座金６０の外形よりも僅かに大きい形状であって、座金６０が挿入されると、切り欠き６２と壁面部１０１とが向かい合って近接し、外周部９９の内部で座金６０が回転できないように、その位置が定められる。座金６０が軸キャップ９２に挿入された状態では、図９Ｉに示されるように、開口６１と、第２開口部９７と、は形状が重なる。
【００４５】
固定装置５０は、図６Ａに示される順に、座金６０、カメ座金７０、軸ボルト８０を並んだ状態でそれらをケース９０に収めることで完成する。軸ボルト８０の軸体８２は、座金６０の開口６１及びカメ座金７０の開口７１に挿入された状態となる。
【００４６】
ケース９０は、軸ボルト８０に対する座金６０とカメ座金７０の位置を所定の位置関係に保つ。ここでいう所定の位置関係を、図１０Ａ、図１０Ｂを用いて説明する。
図１０Ａは、雄ねじ８３の中心軸、つまり軸体８２の中心軸と、雌ねじ３４の中心軸と、がいずれも直線Ａ上に位置する場合において、上記直線Ａと直交する平面に軸部材４０及び座金６０を投影した図である。この場合とは、例えば、雄ねじ８３と雌ねじ３４とを締結させて固定装置５０を座支持部１５に取り付けようとして、雄ねじ８３と雌ねじ３４の中心軸を同一直線上に位置させた状態や、締結の過程の状態、締結が完了した状態などが該当する。
【００４７】
座金６０は、直線Ａを中心に座金６０を回転させると、開口６１に軸部材４０が収まる状態となり得る。このような位置関係が、上述した所定の位置関係の一例である。
また図１０Ｂは、図１０Ａと同様の場合において、軸部材４０とカメ座金７０とを上記平面に投影した図である。カメ座金７０の開口７１には４０が収まる。このような位置関係が、上述した所定の位置関係の一例である。
【００４８】
説明を図６Ｂに戻る。ケース９０は、座金６０、カメ座金７０、及び軸ボルト８０のネジ頭８１の周囲を囲う形状である。
第１開口部９３は、六角溝８４に対して挿入される六角レンチ等の工具を挿入可能に構成されており、そのような工具を使用することにより、軸ボルト８０の操作が可能となる。また第２開口部９７は、雄ねじ８３及び軸部材４０が通過可能に構成されている。
【００４９】
固定装置５０は、雄ねじ８３が雌ねじ３４に締結された状態において、カメ座金７０が、ネジ頭８１と座金６０に圧縮され、その反力によって座体３を座支持部１５の方向に押圧する。また円板部９８は、座金６０と座体３との間に位置し、座体３と接触する接触面となる。
【００５０】
［１−５．効果］
以上詳述した実施形態によれば、以下の効果が得られる。
（１ａ）本実施形態の椅子１は、固定装置５０を座支持部１５に取り付けることによって、座体３が座支持部１５から脱落することを抑制できる。ケース９０には座金６０及びカメ座金７０が、軸ボルト８０に対して所定の位置関係で配置されているため、それらを同時にかつ容易に取り付けることができる。
【００５１】
座金６０は、ネジ頭８１を回転させて雄ねじ８３と雌ねじ３４との締結を進めつつ、軸キャップ９２とともに回転させることで、軸部材４０が挿入可能な位置に容易に合わせることができる。またカメ座金７０は、その回転位置にかかわらず、軸部材４０を挿入することができる。
【００５２】
特に、本実施形態では、軸部材４０における座支持部１５及び座側固定片１９から突出する部分の長さが短いため、突出部分に座金６０及びカメ座金７０を直接挿入しても脱落しやすく、ケース９０による固定を行うことなく座金６０及びカメ座金７０を適切な位置としたまま軸ボルト８０を締結することは困難であるが、固定装置５０を用いることで、容易に取り付けを行うことができる。
【００５３】
なお固定装置５０に含まれる座金６０は、ネジ頭８１が座体３の回転に伴って回転し、締結が緩んでしまうことを抑制しており、カメ座金７０は、座体３の回転に適度な摩擦力を与えることができる。
【００５４】
（１ｂ）ケース９０には、軸ボルト８０を操作するための第１開口部９３が形成されているため、工具を用いて容易に軸ボルト８０を操作することができる。
（１ｃ）ケース９０には、軸ボルト８０の軸体８２が通過するための第２開口部９７が形成されているため、座支持部１５への固定装置５０の取り付けを容易に実現することができる。
【００５５】
（１ｄ）ケース９０には、座体３が回転するときに接触する接触面を有しているため、ケース９０と座体３との摩擦力で摩擦を行うことができる。本実施形態では９０に合成樹脂を用いているため、摩擦力が高くなりすぎたり、摩擦面で破損が生じたりすることを抑制できる。
【００５６】
（１ｅ）座金６０は、開口６１が軸部材４０の外形に合わせた形状となっており、軸部材４０の外側に嵌められたときに軸部材４０に対して回転不能となっている。そのため、座体３の回転に伴って座金６０が回転してしまい、軸ボルト８０を回転させて締結が緩んでしまうことを抑制できる。
【００５７】
なお本実施形態においては、座体３の回転による摩擦力などが座金６０に加わらない構成となっているが、ケース９０に破損が生じて摩擦力が加わることとなった場合や、そもそもケース９０の構成が実施形態と相違し、座金６０に摩擦力が加わる構成である場合に有効である。
【００５８】
［２．その他の実施形態］
以上本発明の実施形態について説明したが、本発明は、上記実施形態に何ら限定されることはなく、本発明の技術的範囲に属する限り種々の形態をとり得ることはいうまでもない。
【００５９】
（２ａ）上記実施形態では、保持部の一例としてケース９０を例示したが、保持部の構成はケース９０の形状に限定されず、座金６０及びカメ座金７０と、軸ボルト８０との位置関係を保つことのできる様々な形状とすることができる。
【００６０】
例えば、図１１Ａ〜図１１Ｃに示されるケース１１０のように、１つの部品からなるものであってもよい。このケース１１０は、筒状の部材であって、一端には複数の爪１１１が形成されており、他端には座金６０の外形よりも小さい開口１１２が形成されている。
【００６１】
そして一端側から座金６０、カメ座金７０、軸ボルト８０を順に挿入することにより、図１１Ｃに示されるような固定装置１２０が完成する。固定装置１２０は、複数の爪１１１が、座金６０、カメ座金７０、軸ボルト８０がケース１１０から脱落してしまうことを抑制する。
【００６２】
（２ｂ）上記実施形態では、軸部材４０が座支持部１５に対して着脱可能である構成を例示したが、軸部材４０が座支持部１５に対して固定されていてもよい。
例えば、図１２Ａに示されるように、回転軸１３１が支持側連結片１３と一体に構成されており、回転軸１３１の先端に雌ねじ１３２が形成される構成であってもよい。なお、この場合は、背側連結片１１と支持側連結片１３は上記実施形態よりも上方にて接続している。この場合では支持側連結片１３が支持体に相当する。
【００６３】
また、例えば、図１２Ｂに示されるように、固定装置１４０は軸ボルト８０に代えて雌ねじが形成されたナット１４１が備えられる構成であってもよい。また、支持側連結片１３と一体に構成される回転軸１４２の内部を通過するように、着脱可能なボルト１４３が支持側連結片１３に備えられる構成であってもよい。つまり支持体である支持側連結片１３に備えられる雄ねじは、着脱可能な構成とすることができる。支持体に雌ねじを備える場合も同様である。
【００６４】
もちろん、図１２Ｃに示されるように、上述した固定装置１４０が、支持側連結片１３と一体に構成された回転軸１４５であって、先端に雄ねじ１４６が形成されたものに取り付けられる構成であってもよい。
【００６５】
（２ｃ）上記実施形態では、椅子１の座体３の支持機構に固定装置５０を用いる構成を例示したが、椅子以外において、本発明の固定装置、回転体支持機構を採用してもよい。
（２ｄ）上記実施形態では、座金６０及びカメ座金７０の両方が用いられる固定装置５０を例示したが、いずれか一方のみが用いられる構成であってもよいし、他の部品、特に軸部材４０の外側に嵌められる部品が用いられる構成であってもよい。例えば、波バネ、皿バネなどを用いることにより、カメ座金７０と同様に、座体３の回転の摩擦力を調整することができる。また、巻きばねを用いて座体３が収納状態となるように付勢することにより、座体３の跳ね上げを行いやすくしたり、自動的に収納状態となるようにしたりすることができる。
【００６６】
（２ｅ）上記実施形態では、円板部９８が座金６０と座体３との間に挟まれており、座体３が回転するときには円板部９８の表面を摺動する構成を例示したが、座金６０が座体３に接触した状態で座体３が回転する構成であってもよい。また、固定装置５０の構成要素以外のものが固定装置５０と座体３との間に配置される構成であってもよい。
【００６７】
（２ｆ）上記実施形態では、軸部材４０の外形と座金６０の開口６１の外形とを略一致させることで、座金６０の軸部材４０に対する相対的な回転が抑制される構成を例示したが、相対的な回転を抑制するための形状は実施形態の形状に限定されない。例えば、軸部材４０の外周に形成された第１係止部に、開口６１を構成する壁面に形成された第２係止部が係止して、相対的な回転が抑制されるように構成されていてもよい。第１係止部及び第２係止部は、突起や溝などの形状とすることができる。なお、実施形態における切り欠き部４２及び壁面６３は、第１係止部及び第２係止部に該当する。
【００６８】
（２ｇ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００６９】
１…椅子、２…背もたれ、３…座体、４…脚部、５…支持フレーム、１１…背側連結片、１３…支持側連結片、１５…座支持部、１７…シート状部材、１９…座側固定片、３１…貫通孔、３２…貫通孔、３３…溝、３４…雌ねじ、４０…軸部材、４１…軸貫通孔、４２…切り欠き部、５０…固定装置、６０…座金、６１…開口、６２…切り欠き、６３…壁面、７０…カメ座金、７１…開口、８０…軸ボルト、８１…ネジ頭、８２…軸体、８３…雄ねじ、８４…六角溝、９０…ケース、９１…軸カバー、９２…軸キャップ、９３…第１開口部、９４…円板部、９５…外周部、９６…突起、９７…第２開口部、９８…円板部、９９…外周部、１００…係止部、１０１…壁面部、１１０…ケース、１１１…爪、１１２…開口、１２０…固定装置、１３１…回転軸、１３２…雌ねじ、１４０…固定装置、１４１…ナット、１４２…回転軸、１４３…ボルト、１４５…回転軸、１４６…雄ねじ
【図１】
0006784384.tif 000002
【図２】
0006784384.tif 000003
【図３】
0006784384.tif 000004
【図４】
0006784384.tif 000005
【図５】
0006784384.tif 000006
【図６】
0006784384.tif 000007
【図７】
0006784384.tif 000008
【図８】
0006784384.tif 000009
【図９】
0006784384.tif 000010
【図１０】
0006784384.tif 000011
【図１１】
0006784384.tif 000012
【図１２】
0006784384.tif 000013